(57)【要約】【課題】表示すべき画素列の一のフレームと、該一のフレームより直前の直前フレームとの階調値変化に基づき、該一のフレームの各画素の階調値に追加値を追加するオーバードライブ処理を行なう表示装置において、オーバードライブ処理の際、追加値の追加によって得られる階調値が所定の閾値を超えることから当該追加値が正しく追加されないことに起因する不具合を防止できる表示装置を提供する。【解決手段】注目画素に対して、前記追加値を追加して得られた階調値が第１閾値を超えているか、又は、該第１閾値より低い第２閾値に達していないかを判定し、第１閾値を超えている、又は第２閾値に達していないと判定された場合、前記第１閾値を超える超過分、又は前記第２閾値までの不足分を算出して、前記注目画素の隣接画素に対して前記超過分又は不足分の反映を行なう。【選択図】図３
2014240937.tif 000002
【特許請求の範囲】
【請求項１】
表示すべき画素列の一のフレームと、該一のフレームより直前の直前フレームとの階調値変化に基づき、該一のフレームの各画素の階調値に追加値を追加するオーバードライブ処理を行なう表示装置において、
注目画素に対して、前記追加値を追加して得られた階調値が第１閾値を超えているか、又は、該第１閾値より低い第２閾値に達していないか判定する判定手段と、
該判定手段によって第１閾値を超えている、又は第２閾値に達していないと判定された場合、前記第１閾値を超える超過分、又は前記第２閾値までの不足分を算出する算出手段と、
前記注目画素の隣接画素に対して前記超過分又は不足分の反映を行なう反映手段と
を備えることを特徴とする表示装置。
【請求項２】
表示すべき画素列の一のフレームと、該一のフレームより直前の直前フレームとの階調値変化に基づき、該一のフレームの各画素の階調値に追加値を追加するオーバードライブ処理を行なう表示装置において、
注目画素に対する前記オーバードライブ処理によって得られた処理後階調値に基づいて実際に到達できる到達階調値を算出する到達値算出手段と、
前記注目画素の階調値から前記到達階調値を減算する減算手段と、
前記注目画素の隣接画素に対して、前記減算手段の減算結果の反映を行なう反映手段と
を備えることを特徴とする表示装置。
【請求項３】
前記反映手段は、前記注目画素に次いで前記オーバードライブ処理すべき画素に対して前記反映を行なうように構成されていることを特徴とする請求項１又は２に記載の表示装置。
【請求項４】
前記反映手段は、前記一のフレームに係る画像が動画である場合、移動物の移動方向の隣接画素に対して前記反映を行なうように構成されていることを特徴とする請求項１又は２に記載の表示装置。
【請求項５】
前記反映手段は、前記一のフレームにて前記注目画素を挟む両画素に対して前記反映を行なうように構成されていることを特徴とする請求項１又は２に記載の表示装置。
【請求項６】
前記直前フレームでの前記注目画素に対応する画素と、前記一のフレームの直後に処理すべき直後フレームでの前記注目画素に対応する画素とに対して前記反映を行なうように構成されていることを特徴とする請求項１又は２に記載の表示装置。
【請求項７】
使用温度に応じて前記減算手段の減算結果が補正され、
前記反映手段は、補正された前記減算手段の減算結果を用いて前記反映を行なうように構成されていることを特徴とする請求項２に記載の表示装置。
【発明の詳細な説明】
【技術分野】
【０００１】
本発明は、表示すべき画素列の一のフレームと、該一のフレームより直前の直前フレームとの階調値変化に基づき、該一のフレームの各画素の階調値に追加値を追加するオーバードライブ処理を行なう表示装置に関する。
【背景技術】
【０００２】
液晶の応答速度を向上させるため、いわゆるオーバードライブという処理が広く使われている。該オーバードライブ処理は、具体的には、直前フレームの画素値と、現フレームの画素値の差分を求め、その差分に応じていわゆるオーバードライブ量を追加した値にて液晶を駆動するものである。
【０００３】
前記オーバードライブ処理に関連して、例えば、特許文献１においては、動的キャパシタンスを有効に補償して、停止画像及び／または動画像の画質を効果的に改善することができる液晶表示装置について開示されている。
【０００４】
また、特許文献２においては、オーバードライブ処理の利用において、ノイズ成分又は時間的な孤立点がオーバードライブ処理によって強調される現象を抑制し、ちらつき等の画質劣化を改善できる画像表示装置について開示されている。
【先行技術文献】
【特許文献】
【０００５】
【特許文献１】特開２０１２−９３７９０号公報
【特許文献２】特開２０１１−１６４４２９号公報
【発明の概要】
【発明が解決しようとする課題】
【０００６】
一方、上述したように、オーバードライブ処理は、現に表示すべき現フレームの階調値を直前フレームの階調値と比較し、階調値の変化に応じて所定のオーバードライブ量を追加する。より詳しくは、直前フレームに比べて階調値が増加している画素に対しては正のオーバードライブ量を追加し、階調値が減少している画素に対しては、前記現フレームの階調値に負のオーバードライブ量を追加し、該オーバードライブ量が追加された値を入力することにより、液晶の応答速度向上を図る。
【０００７】
しかし、階調値が０〜２５５の範囲である場合、従来のオーバードライブ処理においては、例えば、オーバードライブ量の追加によって得られる階調値が最高値（２５５）又は最低値（０）を超える場合は、そのまま入力ができず、最高値又は最低値として入力している。すなわち、斯かる画素においては、当該オーバードライブ量が正しく追加されていない結果となる。
【０００８】
図１４は従来のオーバードライブ処理を適用した場合における問題を説明する説明図である。入力された画像データ（入力画像階調値）の現フレームにおいて、図面視左から２つ目の画素の場合は、その階調値が直前フレームの階調値「６４」から「０」に変更しており、オーバードライブ処理を適用した場合、負のオーバードライブ量が「０」に追加されるべきであるが、その場合、最低値を下回ることとなるので、オーバードライブ処理後の階調値（処理後階調値）は、「０」として駆動を行なう。このようなことは図１４の図面視右から３つ目の画素の場合も同様である。（図１４中の矢印参照）
【０００９】
このようにオーバードライブ量が正しく追加されていない場合は、表示される画像のコントラストが低くなり、又はカラー画像で異なった色に見えるおそれがあるという問題が生じる。しかしながら、特許文献１の液晶表示装置及び特許文献２の画像表示装置では、このような問題を解決出来ない。
【００１０】
本発明は、斯かる事情に鑑みてなされたものであり、その目的とするところは、表示すべき画素列の一のフレームと、該一のフレームより直前の直前フレームとの階調値変化に基づき、該一のフレームの各画素の階調値に追加値を追加するオーバードライブ処理を行なう表示装置において、注目画素に対して、前記追加値を追加して得られた階調値が第１閾値を超えているか、又は、該第１閾値より低い第２閾値に達していないかを判定し、第１閾値を超えている、又は第２閾値に達していないと判定された場合、前記第１閾値を超える超過分、又は前記第２閾値までの不足分を算出して、前記注目画素の隣接画素に対して前記超過分又は不足分の反映を行なうことにより、オーバードライブ処理の際、追加値（オーバードライブ量）の追加によって得られる階調値が所定の閾値を超えることから当該追加値が正しく追加されないことに起因する不具合を防止できる表示装置を提供することにある。
【００１１】
また、本発明の他の目的とするところは、表示すべき画素列の一のフレームと、該一のフレームより直前の直前フレームとの階調値変化に基づき、該一のフレームの各画素の階調値に追加値を追加するオーバードライブ処理を行なう表示装置において、注目画素に対する前記オーバードライブ処理によって得られた処理後階調値に基づいて実際に到達できる到達階調値を算出し、前記注目画素の階調値から前記到達階調値を減算して、斯かる減算結果を前記注目画素の隣接画素に対して反映することにより、オーバードライブ処理の際、追加値（オーバードライブ量）の追加によって得られる階調値が所定の閾値を超えることから当該追加値が正しく追加されないことに起因する不具合を防止できる表示装置を提供することにある。
【課題を解決するための手段】
【００１２】
本発明に係る表示装置は、表示すべき画素列の一のフレームと、該一のフレームより直前の直前フレームとの階調値変化に基づき、該一のフレームの各画素の階調値に追加値を追加するオーバードライブ処理を行なう表示装置において、注目画素に対して、前記追加値を追加して得られた階調値が第１閾値を超えているか、又は、該第１閾値より低い第２閾値に達していないか判定する判定手段と、該判定手段によって第１閾値を超えている、又は第２閾値に達していないと判定された場合、前記第１閾値を超える超過分、又は前記第２閾値までの不足分を算出する算出手段と、前記注目画素の隣接画素に対して前記超過分又は不足分の反映を行なう反映手段とを備えることを特徴とする。
【００１３】
本発明に係る表示装置は、表示すべき画素列の一のフレームと、該一のフレームより直前の直前フレームとの階調値変化に基づき、該一のフレームの各画素の階調値に追加値を追加するオーバードライブ処理を行なう表示装置において、注目画素に対する前記オーバードライブ処理によって得られた処理後階調値に基づいて実際に到達できる到達階調値を算出する到達値算出手段と、前記注目画素の階調値から前記到達階調値を減算する減算手段と、前記注目画素の隣接画素に対して、前記減算手段の減算結果の反映を行なう反映手段とを備えることを特徴とする。
【００１４】
本発明に係る表示装置は、前記反映手段は、前記注目画素に次いで前記オーバードライブ処理すべき画素に対して前記反映を行なうように構成されていることを特徴とする。
【００１５】
本発明に係る表示装置は、前記反映手段は、前記一のフレームに係る画像が動画である場合、移動物の移動方向の隣接画素に対して前記反映を行なうように構成されていることを特徴とする。
【００１６】
本発明に係る表示装置は、前記反映手段は、前記一のフレームにて前記注目画素を挟む両画素に対して前記反映を行なうように構成されていることを特徴とする。
【００１７】
本発明に係る表示装置は、前記直前フレームでの前記注目画素に対応する画素と、前記一のフレームの直後に処理すべき直後フレームでの前記注目画素に対応する画素とに対して前記反映を行なうように構成されていることを特徴とする。
【００１８】
本発明に係る表示装置は、使用温度に応じて前記減算手段の減算結果が補正され、前記反映手段は、補正された前記減算手段の減算結果を用いて前記反映を行なうように構成されていることを特徴とする。
【発明の効果】
【００１９】
本発明によれば、オーバードライブ処理の際、追加値の追加によって得られる階調値が所定の閾値を超えることから当該追加値が正しく追加されないことに起因して、表示される画像のコントラストが低くなり、又はカラー画像で異なった色に見えることを防止できる。
【図面の簡単な説明】
【００２０】
【図１】本発明の実施の形態１に係る表示装置１の要部構成を示す機能ブロック図である。
【図２】本発明の実施の形態１に係る表示装置１において用いられるルックアップテーブルの一例を示す例示図である。
【図３】本発明の実施の形態１に係る表示装置１における、制御部１０の要部構成を示す機能ブロック図である。
【図４】本発明の実施の形態１に係る表示装置１における、オーバードライブ処理の補正を説明するフローチャートである。
【図５】本発明の実施の形態１に係る表示装置１における、オーバードライブ処理の補正の結果を説明する例示図である。
【図６】本発明の実施の形態２に係る表示装置１における、制御部１０の要部構成を示す機能ブロック図である。
【図７】到達値テーブル及び過不足分テーブルの一例を示す例示図である。
【図８】本発明の実施の形態２に係る表示装置１における、オーバードライブ処理の補正を説明するフローチャートである。
【図９】本発明の実施の形態２に係る表示装置１における、制御部１０の要部構成を示す機能ブロック図である。
【図１０】本発明の実施の形態３に係る表示装置１における、オーバードライブ処理の補正の結果を説明する例示図である。
【図１１】オーバードライブ処理のみであって、本発明に係る補正を施していない場合を例示する例示図である。
【図１２】本発明の実施の形態４に係る表示装置１の要部構成を示す機能ブロック図である。
【図１３】本発明の実施の形態４に係る表示装置１における、制御部１０の要部構成を示す機能ブロック図である。
【図１４】従来のオーバードライブ処理を適用した場合における問題を説明する説明図である。
【発明を実施するための形態】
【００２１】
以下に、本発明の実施の形態に係る表示装置を図面に基づいて詳述する。
【００２２】
（実施の形態１）
図１は本発明の実施の形態１に係る表示装置１の要部構成を示す機能ブロック図である。
【００２３】
本発明の実施の形態１に係る表示装置１は、液晶パネル１００、液晶パネル１００のゲート線を駆動するゲート線駆動回路９０、複数の１フレーム分の画像データを蓄積可能な記憶部２０、階調化された電圧を発生する電圧発生回路７０、液晶パネル１００のデータ線を駆動するデータ線駆動回路５０、データ線駆動回路５０及びゲート線駆動回路９０に表示タイミングを指示するクロック信号を出力するクロック８０、表示すべきフレームの各画素の階調値にオーバードライブ処理を施すオーバードライブ補正処理部４０、オーバードライブ補正処理部４０にて処理すべきフレーム、該フレームの直前のフレームを記憶するフレームメモリ６０、及び、電圧発生回路７０に対する階調電圧の設定指示、クロック８０に対する画像表示タイミングの指示等を行う制御部１０を備えている。
【００２４】
以下、説明の便宜上、複数のフレームの入力画像階調値（０〜２５５）から所定の画像を表示する場合において、前記複数のフレームの中、現にオーバードライブ補正処理部４０によってオーバードライブ処理すべきフレームを現フレーム（一のフレーム）といい、該現フレームに対して直前のフレームを直前フレームといい、前記現フレームに対して直後のフレームを直後フレームという。
【００２５】
また、前記現フレームがオーバードライブ処理された場合を処理後現フレームといい、前記直前フレームがオーバードライブ処理された場合を処理後直前フレームといい、前記直後フレームがオーバードライブ処理された場合を処理後直後フレームという。
【００２６】
ここで、オーバードライブ処理とは、現フレームの階調値を１フレーム前の直前フレームの階調値と比較し、階調値の変化に応じて所定のオーバードライブ量（以下、追加値という。）を追加することである。より詳しくは、直前フレームに比べて階調値が増加している画素に対しては、前記現フレームの階調値に所定の追加値（正）を追加してより高い液晶駆動電圧によって液晶パネルを駆動し、階調値が減少している画素に対しては、前記現フレームの階調値に所定の追加値（負）を追加してより低い液晶駆動電圧によって液晶パネルを駆動するものである。これによって、液晶パネル１００の応答反応速度を高めることができる。
【００２７】
オーバードライブ補正処理部４０は、記憶部２０から入力される現フレームのデータＦｎと、フレームメモリ６０から入力される直前フレームのデータＦｎ-1 との比較を行って、両画像データ間での階調変化を検出する。さらに、オーバードライブ補正処理部４０は、ルックアップテーブルを参照して、上述したようなオーバードライブ処理を行なう。
【００２８】
図２は本発明の実施の形態１に係る表示装置１において用いられるルックアップテーブルの一例を示す例示図である。該ルックアップテーブルにおいて、横軸は直前フレームの階調値であり、縦軸は現フレームの階調値である。オーバードライブ補正処理部４０は、現フレームのデータＦｎ及び直前フレームのデータＦｎ-1間の階調の組み合わせに応じた階調値を選択し、現フレームの注目画素の階調値を選択された階調値に置き換えた処理後現フレームを生成する。
【００２９】
フレームメモリ６０は、ｎフレームメモリ６２と、ｎ―１フレームメモリ６１とを有している。ｎフレームメモリ６２には、現フレーム、処理後現フレームが記憶され、ｎ―１フレームメモリ６１には、処理後現フレームに対して後述するような補正が施された補正現フレームが記憶される。すなわち、該補正現フレームに基づく表示が行われ、記憶部２０から、次のフレームが現フレームとして読み込まれ、該補正現フレームはｎ―１フレームメモリ６１に記憶される。
【００３０】
記憶部２０は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されており、例えば、液晶パネル１００に表示すべき画像データ（階調値）を記憶する。
【００３１】
データ線駆動回路５０は、フレームメモリ６０から出力される前記補正現フレームを順次受信して１フレーム分の画像データをラッチし、クロック８０から指示されるクロック信号に従って、電圧発生回路７０の生成する階調電圧から画像データに応じて選択した電圧を液晶パネル１００に印加する。また、ゲート線駆動回路９０は、クロック８０から指示されるクロック信号に従って液晶パネル１００にゲートパルスを印加し、液晶パネル１００を駆動する。
【００３２】
図３は本発明の実施の形態１に係る表示装置１における、制御部１０の要部構成を示す機能ブロック図である。制御部１０は、ＣＰＵ１１と、ＲＯＭ１２と、ＲＡＭ１３と、判定部１４と、算出部１５と、反映部１６とを備えている。
【００３３】
ＲＯＭ１２には各種の制御プログラム、演算用のパラメータのうちの基本的に固定のデータ等が予め格納されており、ＲＡＭ１３はデータを一時的に記憶し、記憶順、記憶位置等に関係なく読み出すことが可能である。また、ＲＡＭ１３は、例えば、ＲＯＭ１２から読み出されたプログラム、該プログラムを実行することにより発生する各種データ、該実行の際適宜変化するパラメータ等を記憶する。
【００３４】
ＣＰＵ１１は、ＲＯＭ１２に予め格納されている制御プログラムをＲＡＭ１３上にロードして実行することによって、上述した各種ハードウェアの制御を行ない、装置全体を本発明の表示装置１として動作させる。また、制御部１０は、以下に説明するように、オーバードライブ処理に対して補正を行なう。以下に詳しく説明する。  
【００３５】
すでに説明したように、現フレームの各画素の階調値のうち、最高値（２５５）（第１閾値）又は最低値（０）（第２閾値）に該当し、又はこれらの付近である階調値は、他の画素のような追加値の追加ができない。図１４に示したように、オーバードライブ処理前の現フレームにおいて、入力画像階調値が「０」及び「２５５」であった画素は、他の画素と同様に追加値（「＋１６」又は「−１６」）を追加した場合、夫々最低値を下回り又は最高値を上回る結果となる。しかし、このような階調値に基づく画像の表示はできないことから、実際のオーバードライブ処理後の現フレーム（処理後現フレーム）においては、斯かる画素の階調値を最低値又は最高値にしている。
【００３６】
このような場合、液晶パネル１００に表示される画像のコントラストが低くなり、又はカラー画像で異なった色に見えるおそれがあるという問題が生じる。
【００３７】
これに対して本発明の実施の形態１の表示装置１においては、前記追加値のうち、当該注目画素に追加できなかった分だけを、該注目画素の隣接画素に付加する。
【００３８】
すなわち、現フレームの各画素に対するオーバードライブ処理の際、判定部１４は、前記追加値の追加を行なった場合、階調値が最高値の超過となるか、又は最低値の未満となるか判定する。
【００３９】
例えば、判定部１４によって、階調値が最高値の超過となる、又は最低値の未満となると判定された場合、算出部１５は当該注目画素に付加できなかった分を算出する。図１４の例においては、階調値「０」及び「２５５」画素においては、当該注目画素に追加できなかった分は夫々「−１６」及び「＋１６」である。以下、当該注目画素に追加できなかった分であって、最高値を超えている分を超過分といい、最低値に未満している分、換言すれば該最低値まで不足している分を不足分という。
【００４０】
このように、算出部１５によって超過分又は不足分が算出された場合、反映部１６は、該超過分又は不足分を当該注目画素の隣接画素に反映させる。すなわち、反映部１６は注目画素の隣接画素に前記超過分を加算し、又は不足分を減算する。
【００４１】
図４は本発明の実施の形態１に係る表示装置１における、オーバードライブ処理の補正を説明するフローチャートであり、図５は本発明の実施の形態１に係る表示装置１における、オーバードライブ処理の補正の結果を説明する例示図である。
【００４２】
図５は、表示画面の左から右方向に移動物が移動する画像を表す入力画像階調値であり、図５中のフレーム２を現フレームとし、フレーム１を直前フレームとし、フレーム３を直後フレームとして説明する。
【００４３】
図５中、丸は、オーバードライブ処理の結果、前記追加値の追加を行なった場合、階調値が最高値の超過となるか、又は最低値の未満となる画素を示している。また、図５中、楕円は、反映部１６によって前記超過分又は不足分の反映がされた画素である。すなわち、本実施例においては、動画像において、移動物が移動する方向の隣接画素に反映部１６による前記超過分又は不足分の反映が行なわれる。
【００４４】
まず、記憶部２０から現フレームとして１フレーム分の階調値が読み込まれ（ステップＳ１０１）、読み込まれた現フレームの各画素の階調値に対してオーバードライブ補正処理部４０がオーバードライブ処理を行なう（ステップＳ１０２）。本実施例においては、フレーム２に対してオーバードライブ処理が施され、ｎ―１フレームメモリ６１にはフレーム１が記憶されている。該オーバードライブ処理は、現フレームに対して、例えば図面視左から右方向に各画素に対して行なわれる。
【００４５】
この際、制御部１０の判定部１４は、当該追加値の追加を行なった場合の階調値が最高値の超過となるか、又は最低値の未満となるかの判定を行なう（ステップＳ１０３）。斯かる判定部１４の判定は、画素毎に行なう。
【００４６】
判定部１４が当該注目画素に追加値の追加を行なった場合の階調値が最高値の超過、又は最低値の未満とならないと判定した場合（ステップＳ１０３：ＮＯ）、処理はステップＳ１０６に進む。
【００４７】
一方、判定部１４が当該注目画素に追加値の追加を行なった場合の階調値が最高値の超過、又は最低値の未満となると判定した場合（ステップＳ１０３：ＹＥＳ）、算出部１５は当該注目画素に付加できなかった分、すなわち、超過分又は不足分の算出を行なう（ステップＳ１０４）。算出部１５による超過分又は不足分の算出については既に説明しており、詳しい説明を省略する。
【００４８】
次いで、反映部１６は、算出部１５によって算出された超過分又は不足分を、現フレームにおける当該注目画素に対して、移動物が移動する方向、すなわち、図面視右方向の隣接画素に反映する（ステップＳ１０５）。
【００４９】
例えば、図５のフレーム２の左から２番目の画素が注目画素である場合、該注目画素の階調値は「０」であり、オーバードライブ処理の際、追加値の追加を行なった場合の階調値が最低値「０」の未満となる。従って、算出部１５は当該注目画素に係る不足分の算出を行ない、不足分は「−１６」である。次いで、反映部１６は、不足分の「−１６」を、当該注目画素に対して図面視右方向の隣接画素に反映する。
【００５０】
すなわち、当該注目画素に対して右方向の隣接画素は階調値が直前の「１２８」から「６４」に変化しており、図２のルックアップテーブルに基づいて、オーバードライブ処理後の階調値は「４８」となるはずである。しかし、本発明に係る表示装置１においては、上述したように、不足分の「−１６」が反映されるので、補正後の当該画素の階調値が「３２」となる。
【００５１】
この後、ＣＰＵ１１は、現フレームの全画素に対するオーバードライブ処理及び上述の補正が完了したか否かを判定する（ステップＳ１０６）。
【００５２】
ＣＰＵ１１は、現フレームの全画素に対するオーバードライブ処理及び上述の補正が完了していないと判定した場合（ステップＳ１０６：ＮＯ）、処理をステップＳ１０２に戻す。以降、当該注目画素の右側の画素に対してオーバードライブ処理及び上述の補正が施される。
【００５３】
ＣＰＵ１１は、現フレームの全画素に対するオーバードライブ処理及び上述の補正が完了したと判定した場合（ステップＳ１０６：ＹＥＳ）、オーバードライブ処理及び上述の補正によって得られた補正後の現フレーム（補正現フレーム）をデータ先駆動回路５０に出力すると共に、フレームメモリ６０のｎ―１フレームメモリ６１に記憶する（ステップＳ１０７）。以降、処理は終了する。
【００５４】
図５には、フレーム１及びフレーム２に対してオーバードライブ処理及び上述の補正を行って得られる階調値（以下、補正後階調値という）と、該補正後階調値に基づいて液晶パネル１００に画像表示を行なった場合の実際の液晶パネルの階調値とを示している。
【００５５】
前記実施の液晶パネルの階調値は、例えば、以下の式によって求められる。
実施の液晶パネルの階調値＝Ｙ＋（Ｚ−Ｙ）×０．８
ここで、Ｙは当該注目画素に対応する直前フレームの画素の値であり、Ｚは当該注目画素に対応する補正後階調値である。
【００５６】
例えば、フレーム２の図面視左側の３つの画素において、実際の液晶パネルの階調値は、夫々「６４」、「１３」、「５１」であり、平均が「４２．６」である。一方、当該３つの画素の入力画像階調値は夫々「６４」、「０」、「６４」であり、平均が「４２．６」であって、実際の液晶パネルの階調値の場合と同一である。
【００５７】
人間の目で画像を見る場合、隣接した画素の階調値と平均化されるので、本発明に係る処理後は、オーバードライブ処理のみの場合に比べ、目的とする入力画像階調値に類似するように見える。
【００５８】
以上の記載においては、移動物が移動する方向の隣接画素に反映部１６よる前記超過分又は不足分の反映が行なわれる場合を例に説明したが、本発明はこれに限るものでない。例えば、移動物が移動する方向と反対方向の隣接画素に前記超過分又は不足分の反映が行なわれるように構成しても良い。
【００５９】
なお、上述した判定部１４、算出部１５及び反映部１６は、ハードウェアロジックによって構成してもよいし、ＣＰＵ１１が所定のプログラムを実行することにより、ソフトウェア的に構築されてもよい。
【００６０】
（実施の形態２）
実施の形態１においては、現フレームの各画素に対するオーバードライブ処理の際、追加値の追加を行なった場合の超過分又は不足分を算出し、該超過分又は不足分を当該注目画素の隣接画素に反映させることにより、オーバードライブ処理での上述した問題を解決することについて説明した。本発明の実施の形態２においては異なる方法によって当該問題を解決する。
【００６１】
本発明の実施の形態２に係る表示装置１は、実施の形態１と同様の構成を有しているが、制御部１０の構成において相違する。
【００６２】
図６は本発明の実施の形態２に係る表示装置１における、制御部１０の要部構成を示す機能ブロック図である。制御部１０は、ＣＰＵ１１と、ＲＯＭ１２と、ＲＡＭ１３と、到達値算出部１７と、減算部１８と、反映部１９とを備えている。
【００６３】
到達値算出部１７は、到達値テーブル（図７参照）を有しており、到達値テーブルを用いて、現フレームの各画素に対する到達値を算出する。ここで到達値とは、現フレームの各画素に対して前記オーバードライブ処理を行い、これによって得られた処理後階調値に基づく表示を液晶パネル１００に行なった場合、実際に到達できる階調値である。
【００６４】
減算部１８は、現フレームの各画素の階調値から、到達値算出部１７によって算出された対応する到達値を減算し、現フレームの各画素の階調値と、到達値との差分を求める。すなわち、斯かる差分は、実際に、現フレームの階調値まで到達していない不足分、又は現フレームの階調値を超えた超過分に該当する。減算部１８は、その都度、斯かる減算を行なうようにしても良く、減算結果をテーブル（以下、過不足分テーブルという）として予め有し、該過不足分テーブルに基づいて斯かる減算結果を得るように構成してもよい（図７参照）。
【００６５】
反映部１９は、減算部１８によって得られた減算結果を、対応する現フレームの画素に反映する。反映部１９は、前記減算結果が正である場合、注目画素の隣接画素に斯かる減算結果（絶対値）を加算し、又は前記減算結果が負である場合、注目画素の隣接画素に斯かる減算結果（絶対値）を減算する。
【００６６】
図７は上述した到達値テーブル及び過不足分テーブルの一例を示す例示図である。図７（Ａ）は、現フレームの階調値をテーブル化したものであり、図７（Ｂ）は到達値テーブルであり、図７（Ｃ）は過不足分テーブルである。以下、上述したように、「実施の液晶パネルの階調値＝Ｙ＋（Ｚ−Ｙ）×０．８」であることを前提として説明する。
【００６７】
実際の液晶パネルの階調値、換言すれば、液晶パネルの透過率を現フレームの階調値（Ｘ）と一致させるためには、
Ｘ＝Ｙ＋（Ｚ−Ｙ）×０．８
を満たす必要があるので、オーバードライブ処理による処理後の階調値（Ｚ）とは（図２参照）、
Ｚ＝１．２５Ｘ−０．２５Ｙ＝Ｙ＋（Ｘ−Ｙ）×１．２５
Ｚ＞２５５の場合は、２５５
Ｚ＜０の場合は、０
とすればよい。  
【００６８】
そして、到達値及び過不足分は、
到達値＝Ｙ＋（Ｚ−Ｙ）×０．８
不足分＝Ｘ−到達値
で求められる。
【００６９】
以上の方法によって、求められた到達値及び過不足分を図７の（Ｂ）到達値テーブル及び（Ｃ）過不足分テーブルに夫々示している。  
【００７０】
図８は本発明の実施の形態２に係る表示装置１における、オーバードライブ処理の補正を説明するフローチャートである。
【００７１】
まず、記憶部２０から現フレームとして１フレーム分の階調値が読み込まれ（ステップＳ２０１）、読み込まれた現フレームの各画素の階調値に対してオーバードライブ補正処理部４０がオーバードライブ処理を行なう（ステップＳ２０２）。該オーバードライブ処理は、現フレームに対して、例えば図面視左から右方向に行なわれる。
【００７２】
この際、到達値算出部１７は、前記到達値テーブルを用いて、又は計算により、当該注目画素に対する到達値を算出する（ステップＳ２０３）。到達値算出部１７による到達値の算出の処理については既に説明しており、詳しい説明を省略する。
【００７３】
次いで、減算部１８は、現フレームの当該注目画素の階調値から、到達値算出部１７によって算出された対応する到達値を減算し、現フレームの当該注目画素の階調値と、到達値との差分を求める（ステップＳ２０４）。減算部１８による斯かる減算の処理については既に説明しており、詳しい説明を省略する。
【００７４】
次いで、反映部１９は、減算部１８によって得られた減算結果を、例えば、実施の形態１と同様、現フレームにおける当該注目画素に対して図面視右方向の隣接画素に反映する（ステップＳ２０５）。
【００７５】
この後、ＣＰＵ１１は、現フレームの全画素に対するオーバードライブ処理及び上述の補正が完了したか否かを判定する（ステップＳ２０６）。
【００７６】
ＣＰＵ１１は、現フレームの全画素に対するオーバードライブ処理及び上述の補正が完了していないと判定した場合（ステップＳ２０６：ＮＯ）、処理をステップＳ２０２に戻す。以降、当該注目画素の右側の画素に対してオーバードライブ処理及び上述の補正が施される。
【００７７】
ＣＰＵ１１は、現フレームの全画素に対するオーバードライブ処理及び上述の補正が完了したと判定した場合（ステップＳ２０６：ＹＥＳ）、オーバードライブ処理及び上述の補正によって得られた補正後の現フレーム（補正現フレーム）をデータ線駆動回路５０に出力すると共に、フレームメモリ６０のｎ―１フレームメモリ６１に記憶する（ステップＳ２０７）。以降、処理は終了する。
【００７８】
実施の形態１と同様の部分については、同一の符号を付して詳細な説明を省略する。
【００７９】
なお、上述した到達値算出部１７、減算部１８及び反映部１９は、ハードウェアロジックによって構成してもよいし、ＣＰＵ１１が所定のプログラムを実行することにより、ソフトウェア的に構築されてもよい。
【００８０】
また、本発明はこれに限るものでない。減算部１８によって求められた、現フレームの当該注目画素の階調値及び到達値の差分を、表示装置１の使用温度に応じて、補正するように構成しても良い。斯かる補正は、減算部１８が予め使用温度毎に過不足分テーブルを有し、該温度別過不足分テーブルに基づいて前記差分を求めるようにすれば良い。
【００８１】
（実施の形態３）
実施の形態１においては、算出部１５によって算出された超過分又は不足分を、反映部１６が現フレームにおける当該注目画素に対して、移動物が移動する方向、すなわち、図面視右方向の隣接画素に反映する場合について説明したが、本発明はこれに限るものでない。本発明の実施の形態３においては、反映部１６による前記反映の処理が、実施の形態１と相違する。
【００８２】
本発明の実施の形態３に係る表示装置１は、実施の形態１と同様の構成を有しているが、制御部１０の構成において相違する。
【００８３】
図９は本発明の実施の形態２に係る表示装置１における、制御部１０の要部構成を示す機能ブロック図である。制御部１０は、ＣＰＵ１１と、ＲＯＭ１２と、ＲＡＭ１３と、判定部１４と、算出部１５と、反映部１６Ａとを備えている。
【００８４】
判定部１４は実施の形態１と同様に、追加値を追加した階調値が最高値の超過となるか、又は最低値の未満となるかの判定を行なう。判定部１４によって追加値を追加した階調値が最高値の超過となる、又は最低値の未満となると判定された場合、算出部１５は当該注目画素に追加できなかった分、すなわち、前記超過分及び不足分を算出する。
【００８５】
このように、算出部１５によって超過分又は不足分が算出された場合、反映部１６Ａは、該超過分又は不足分を当該注目画素の隣接画素に反映させる。本実施例においては、反映部１６Ａは、当該注目画素を挟む両隣接画素に対して前記超過分を加算し、又は不足分を減算する。
【００８６】
より詳しくは、反映部１６Ａは、当該注目画素に対して、図面視左右方向における隣接画素の夫々に、算出部１５によって算出された超過分又は不足分を１／２ずつ反映する。
【００８７】
図１０は本発明の実施の形態３に係る表示装置１における、オーバードライブ処理の補正の結果を説明する例示図であり、図１１はオーバードライブ処理のみであって、本発明に係る補正を施していない場合を例示する例示図である。
【００８８】
なお、図１０中のフレーム２を現フレームとし、フレーム１を直前フレームとし、フレーム３を直後フレームとして説明する。
【００８９】
図１０中、丸は、オーバードライブ処理の結果、前記追加値の追加を行なった場合、階調値が最高値の超過となるか、又は最低値の未満となる画素を示している。また、図１０中、楕円は、反映部１６Ａによって前記超過分又は不足分の反映がされた画素である。
【００９０】
例えば、図１０のフレーム２の左から２番目の画素が注目画素である場合、該注目画素の階調値は「０」であり、オーバードライブ処理の際、追加値の追加を行なった場合の階調値が最低値「０」の未満となる。従って、算出部１５は当該注目画素に係る不足分の算出を行なう。本実施例においては、説明の便宜上、不足分は「−２０」であるとする。
【００９１】
次いで、反映部１６Ａは、不足分の「−２０」の１／２である「−１０」を、当該注目画素に対して図面視左右方向の隣接画素に夫々反映する。
【００９２】
すなわち、当該注目画素に対して、左方向の隣接画素においては階調値が直前の「０」から「６４」に変化しており、右方向の隣接画素においては階調値が直前の「１２８」から「６４」に変化している。従って、オーバードライブ処理後の階調値は、図２のルックアップテーブルに基づいて、左方向及び右方向において夫々「８０」及び「４８」となるはずである。しかし、本発明に係る表示装置１においては、上述したように、不足分の１／２である「−１０」ずつ夫々の画素に反映されるので、本発明に係る補正後の当該２つの画素の階調値は「７０」と、「３８」となる。
【００９３】
このような補正の処理を行なった場合、例えば、フレーム２の図面視左側の３つの画素において、実際の液晶パネルの階調値は、夫々「５６」、「１３」、「５６」であり、平均が「４１．６」である。一方、当該３つの画素の入力画像階調値は夫々「６４」、「０」、「６４」であり、平均が「４２．６」であって、実際の液晶パネルの階調値の平均値と近似している。
【００９４】
一方、オーバードライブ処理のみであって、本発明に係る補正を施していない場合は（図１１参照）、斯かる３つの画素における、実際の液晶パネルの階調値は、夫々「６４」、「１３」、「６４」であり、平均が「４７」であって、入力画像階調値の斯かる３つの画素の平均値「４２．６」と大きく異なる。
【００９５】
人間の目で画像を見る場合、隣接した画素の階調値と平均化されるので、本発明に係る処理後は、オーバードライブ処理のみの場合に比べ、目的とする入力画像階調値に類似するように見える。
【００９６】
実施の形態１と同様の部分については、同一の符号を付して詳細な説明を省略する。
【００９７】
なお、上述した判定部１４、算出部１５及び反映部１６Ａは、ハードウェアロジックによって構成してもよいし、ＣＰＵ１１が所定のプログラムを実行することにより、ソフトウェア的に構築されてもよい。
【００９８】
（実施の形態４）
実施の形態１においては、算出部１５によって算出された超過分又は不足分を、反映部１６が現フレームにおける当該注目画素に対して、移動物が移動する方向、すなわち、図面視右方向の隣接画素に反映する場合について説明したが、本発明はこれに限るものでない。本発明の実施の形態４においては、反映部による前記反映の処理が、実施の形態１と相違する。
【００９９】
図１２は本発明の実施の形態４に係る表示装置１の要部構成を示す機能ブロック図である。本発明の実施の形態４に係る表示装置１は、実施の形態１の場合と同様に、液晶パネル１００、ゲート線駆動回路９０、記憶部２０、電圧発生回路７０、データ線駆動回路５０、クロック８０、オーバードライブ補正処理部４０、フレームメモリ６０、及び、制御部１０を備えている。
【０１００】
更に、本発明の実施の形態４に係る表示装置１は、次フレーム変更部３０を備えている。次フレーム変更部３０は、ｎ＋１フレームメモリ３１を有しており、現フレームの次となる直後フレームを記憶する。
【０１０１】
また、次フレーム変更部３０は、後述する反映部１６Ｂの指示に応じて、直後フレームに対して、算出部１５によって算出された超過分又は不足分の１／２を反映する処理を行なう。このような処理が行われた直後フレームは、現フレームとして前記オーバードライブ処理の対象とする。
【０１０２】
本発明の実施の形態４においては、フレームメモリ６０からは、補正直前フレームがデータ線駆動回路５０に出力されるように構成されている。ここで補正直前フレームは、直前フレームがオーバードライブ処理及び本発明に係る補正された後のものである。
【０１０３】
換言すれば、本発明の実施の形態４においては、補正現フレームがデータ線駆動回路５０に出力されたあとフレームメモリ６０に記憶される構成でなく、補正現フレームがデータ線駆動回路５０に出力されずに補正直前フレームとして置き換えられてｎ―１フレームメモリ６１に記憶される。該補正直前フレームは、現フレームに対するオーバードライブ処理及び本発明に係る補正された後、すなわち、補正現フレームが生成された後、データ線駆動回路５０に出力される。
【０１０４】
本発明の実施の形態４に係る表示装置１は、実施の形態１と同様の構成を有しているが、制御部１０の構成において相違する。
【０１０５】
図１３は本発明の実施の形態４に係る表示装置１における、制御部１０の要部構成を示す機能ブロック図である。制御部１０は、ＣＰＵ１１と、ＲＯＭ１２と、ＲＡＭ１３と、判定部１４と、算出部１５と、反映部１６Ｂとを備えている。
【０１０６】
判定部１４は実施の形態１と同様に、追加値を追加した階調値が最高値の超過となるか、又は最低値の未満となるかの判定を行なう。判定部１４によって追加値を追加した階調値が最高値の超過となる、又は最低値の未満となると判定された場合、算出部１５は当該注目画素に追加できなかった分、すなわち、前記超過分及び不足分を算出する。
【０１０７】
このように、算出部１５によって超過分又は不足分が算出された場合、反映部１６Ｂは、該超過分又は不足分を当該注目画素の隣接画素に反映させる。本実施例においては、反映部１６Ｂは、前記直前フレームにおける当該注目画素に対応する画素と、前記直後フレームでの当該注目画素に対応する画素とに対して前記超過分を加算し、又は不足分を減算する。換言すれば、一の画像を表示するに当たって、複数のフレームが表示画面の上下方向に順次走査された場合、当該注目画素を縦方向に挟む両隣接画素に、前記反映が行なわれる。
【０１０８】
より詳しくは、反映部１６Ｂは、ｎ―１フレームメモリ６１に記憶されている補正直前フレームにおいて当該注目画素に対応する画素に、算出部１５によって算出された超過分又は不足分の１／２を反映する。また、反映部１６Ｂは、次フレーム変更部３０のｎ＋１フレームメモリ３１に記憶されている直後フレームにおいて当該注目画素に対応する画素に、算出部１５によって算出された超過分又は不足分の１／２を反映する。すなわち、次フレーム変更部３０では、反映部１６Ｂの指示に応じて、直後フレームに対して、前記超過分又は不足分の１／２を反映する処理が行なわれる。
【０１０９】
上述したように、ｎ―１フレームメモリ６１には補正直前フレーム記憶されており、反映部１６Ｂによる上述の反映処理が行われた後、データ線駆動回路５０に出力される。これによって、一の画像が表示された場合には、当該注目画素を縦方向に挟む両隣接画素に、前記反映が行なわれることとなる。
【０１１０】
実施の形態１と同様の部分については、同一の符号を付して詳細な説明を省略する。
【０１１１】
なお、上述した判定部１４、算出部１５及び反映部１６Ｂは、ハードウェアロジックによって構成してもよいし、ＣＰＵ１１が所定のプログラムを実行することにより、ソフトウェア的に構築されてもよい。
【０１１２】
本発明に係る表示装置１は、表示すべき画素列の一のフレームと、該一のフレームより直前の直前フレームとの階調値変化に基づき、該一のフレームの各画素の階調値に追加値を追加するオーバードライブ処理を行なう表示装置１において、注目画素に対して、前記追加値を追加して得られた階調値が第１閾値を超えているか、又は、該第１閾値より低い第２閾値に達していないか判定する判定手段１４と、該判定手段１４によって第１閾値を超えている、又は第２閾値に達していないと判定された場合、前記第１閾値を超える超過分、又は前記第２閾値までの不足分を算出する算出手段１５と、前記注目画素の隣接画素に対して前記超過分又は不足分の反映を行なう反映手段１６、１６Ａ、１６Ｂ、１９とを備えることを特徴とする。
【０１１３】
本発明にあっては、前記判定手段が、注目画素に対して、前記追加値を追加して得られた階調値が第１閾値を超えているか、又は、該第１閾値より低い第２閾値に達していないかを判定する。また、前記判定手段によって、第１閾値を超えている、又は第２閾値に達していないと判定された場合、前記算出手段が、前記第１閾値を超える超過分、又は前記第２閾値までの不足分を算出する。前記反映手段は、前記算出手段によって算出された超過分又は不足分を前記注目画素の隣接画素に対して反映する。
【０１１４】
本発明に係る表示装置１は、表示すべき画素列の一のフレームと、該一のフレームより直前の直前フレームとの階調値変化に基づき、該一のフレームの各画素の階調値に追加値を追加するオーバードライブ処理を行なう表示装置１において、注目画素に対する前記オーバードライブ処理によって得られた処理後階調値に基づいて実際に到達できる到達階調値を算出する到達値算出手段１７と、前記注目画素の階調値から前記到達階調値を減算する減算手段１８と、前記注目画素の隣接画素に対して、前記減算手段の減算結果の反映を行なう反映手段１６、１６Ａ、１６Ｂ、１９とを備えることを特徴とする。
【０１１５】
本発明にあっては、前記到達値算出手段が注目画素に対する前記オーバードライブ処理によって得られた処理後階調値に基づいて実際に到達できる到達階調値を算出する。また、前記前記減算手段は、前記注目画素の階調値から前記到達階調値を減算する。前記反映手段は、前記減算手段による減算結果を前記注目画素の隣接画素に対して反映する。
【０１１６】
本発明に係る表示装置１は、前記反映手段１６、１６Ａ、１６Ｂ、１９は、前記注目画素に次いで前記オーバードライブ処理すべき画素に対して前記反映を行なうように構成されていることを特徴とする。
【０１１７】
本発明にあっては、前記反映手段は、前記超過分若しくは不足分、又は前記減算結果の反映を行なうにおいて、前記注目画素に次いで前記オーバードライブ処理すべき画素に対して斯かる反映を行なう。
【０１１８】
本発明に係る表示装置１は、前記反映手段１６、１６Ａ、１６Ｂ、１９は、前記一のフレームに係る画像が動画である場合、移動物の移動方向の隣接画素に対して前記反映を行なうように構成されていることを特徴とする。
【０１１９】
本発明にあっては、前記反映手段は、前記超過分若しくは不足分、又は前記減算結果の反映を行なうにおいて、前記一のフレームに係る画像が動画である場合、移動物の移動方向の隣接画素に対して前記反映を行なう。
【０１２０】
本発明に係る表示装置１は、前記反映手段１６、１６Ａ、１６Ｂ、１９は、前記一のフレームにて前記注目画素を挟む両画素に対して前記反映を行なうように構成されていることを特徴とする。
【０１２１】
本発明にあっては、前記反映手段は、前記超過分若しくは不足分、又は前記減算結果の反映を行なうにおいて、前記一のフレームにて前記注目画素を挟む両画素に対して前記反映を行なう。
【０１２２】
本発明に係る表示装置１は、前記直前フレームでの前記注目画素に対応する画素と、前記一のフレームの直後に処理すべき直後フレームでの前記注目画素に対応する画素とに対して前記反映を行なうように構成されていることを特徴とする。
【０１２３】
本発明にあっては、前記反映手段は、前記超過分若しくは不足分、又は前記減算結果の反映を行なうにおいて、前記直前フレームでの前記注目画素に対応する画素と、前記一のフレームの直後に処理すべき直後フレームでの前記注目画素に対応する画素とに対して前記反映を行なう。
【０１２４】
本発明に係る表示装置１は、使用温度に応じて前記減算手段の減算結果が補正され、前記反映手段１６、１６Ａ、１６Ｂ、１９は、補正された前記減算手段の減算結果を用いて前記反映を行なうように構成されていることを特徴とする。
【０１２５】
本発明にあっては、使用温度に応じて、前記減算手段の減算結果の補正が行われ、前記反映手段は、補正された前記減算手段の減算結果を用いて前記反映を行なう。
【符号の説明】
【０１２６】
１  表示装置
１１  ＣＰＵ
１４  判定部
１５  算出部
１６、１６Ａ、１６Ｂ、１９  反映部
１７  到達値算出部
１８  減算部
【図１】
2014240937.tif 000003
【図２】
2014240937.tif 000004
【図３】
2014240937.tif 000005
【図４】
2014240937.tif 000006
【図５】
2014240937.tif 000007
【図６】
2014240937.tif 000008
【図７】
2014240937.tif 000009
【図８】
2014240937.tif 000010
【図９】
2014240937.tif 000011
【図１０】
2014240937.tif 000012
【図１１】
2014240937.tif 000013
【図１２】
2014240937.tif 000014
【図１３】
2014240937.tif 000015
【図１４】
2014240937.tif 000016